(57)【要約】【課題】可撓性を有するシート状の記録媒体における回転軸方向の振れをベルヌーイ効果による空気流の圧力差によって安定化させる面振れ安定化部材の形状パラメータを定量化して、面振れ安定化部材の外形形状を適正かつ明確に設定し、ディスク面振れを低減する効果を十分に発揮させると共に、面振れ安定化部材と記録媒体との摺動による摺動傷の発生を回避し、記録および／または再生の動作の安定化、および記録媒体の信頼性向上を図る。【解決手段】ガイド部材３の柱状部３ａの横断面積Ｓｇと、ガイド部材３の頂点Ｔに接する仮想平面Ｆとガイド部材３の凸状曲面における表面Ｓとの間で形成される部位の体積Ｖｅｘｇとを、形状パラメータとしてガイド部材３を形成する。【選択図】    図２
2004280964.tif 000002
【特許請求の範囲】
【請求項１】
可撓性を有するシート状の記録媒体を回転させ、前記記録媒体に対してピックアップにより情報の書き込みあるいは読み取りを行う可撓性記録媒体用記録／再生装置に設置され、前記記録媒体の少なくとも書き込みあるいは読み取りが行われる部位における回転軸方向の面振れをベルヌーイ効果による空気流の圧力差によって安定化させる面振れ安定化部材において、
ベルヌーイ効果を発生させる表面の形状が略凸状曲面をなす柱状部を有し、該柱状部における横断面積Ｓｇ、および該柱状部における前記凸状曲面の頂点に接する仮想平面と前記凸状曲面との間に形成される部位の体積Ｖｅｘｇをパラメータとして前記柱状部を形成したことを特徴とする可撓性記録媒体に対する面振れ安定化部材。
【請求項２】
Ｇｐ＝Ｓｇ／Ｖｅｘｇ１／３を前記柱状部における形状パラメータとしたことを特徴とする請求項１記載の可撓性記録媒体に対する面振れ安定化部材。
【請求項３】
前記柱状部を、前記形状パラメータＧｐが１５０以下となるように形成したことを特徴とする請求項２記載の可撓性記録媒体に対する面振れ安定化部材。
【請求項４】
前記柱状部を、前記形状パラメータＧｐが２５以上となるように形成したことを特徴とする請求項２記載の可撓性記録媒体に対する面振れ安定化部材。
【請求項５】
前記柱状部を、前記形状パラメータＧｐが２５以上かつ１５０以下となるように形成したことを特徴とする請求項２記載の可撓性記録媒体に対する面振れ安定化部材。
【請求項６】
前記柱状部を、前記形状パラメータＧｐが１００以下となるように形成したことを特徴とする請求項２記載の可撓性記録媒体に対する面振れ安定化部材。
【請求項７】
前記柱状部を、前記形状パラメータＧｐが４０以上となるように形成したことを特徴とする請求項２記載の可撓性記録媒体に対する面振れ安定化部材。
【請求項８】
前記柱状部を、前記形状パラメータＧｐが４０以上かつ１００以下となるように形成したことを特徴とする請求項２記載の可撓性記録媒体に対する面振れ安定化部材。
【請求項９】
可撓性を有するシート状の記録媒体を回転させる回転駆動手段と、前記記録媒体の少なくとも書き込みあるいは読み取りが行われる部位における回転軸方向の面振れを空気流の圧力差によって安定化させる面振れ安定化手段とを備えた可撓性記録媒体用記録／再生装置において、
前記面振れ安定化手段にベルヌーイ効果を発生させる表面の主形状が凸状曲面をなす柱状部を形成し、該柱状部における横断面積Ｓｇと、該柱状部における前記凸状曲面の頂点に接する仮想平面と前記凸状曲面との間に形成される部位の体積Ｖｅｘｇをパラメータとして前記柱状部を形成した面振れ安定化手段を用いたことを特徴とする可撓性記録媒体用記録／再生装置。
【請求項１０】
Ｇｐ＝Ｓｇ／Ｖｅｘｇ１／３を前記柱状部の形状パラメータとしたことを特徴とする請求項９記載の可撓性記録媒体用記録／再生装置。
【請求項１１】
前記柱状部の前記形状パラメータＧｐの設定範囲を２５以上かつ１５０以下に設定したことを特徴とする請求項１０記載の可撓性記録媒体用記録／再生装置。
【請求項１２】
前記柱状部の前記形状パラメータＧｐの設定範囲を４０以上かつ１００以下に設定したことを特徴とする請求項１０記載の可撓性記録媒体用記録／再生装置。
【発明の詳細な説明】
【０００１】
【発明の属する技術分野】
本発明は、可撓性を有するシート状の記録媒体に対して情報の書き込みあるいは読み取りを行う可撓性記録媒体用記録／再生装置に設置され、記録媒体における回転軸方向の振れをベルヌーイ効果による空気流の圧力差によって安定化させる面振れ安定化部材に関するものである。
【０００２】
【従来の技術】
近年、テレビ放送のデジタル化が始まるなど、大容量のデジタルデータを記録することが光ディスクなどの記録媒体に求められている。光ディスクの高密度化のための手法のうち、基本的な方法は記録／再生のための光のスポット径を小さくすることである。
【０００３】
このため、記録／再生のために用いられる光の波長を短く、かつ対物レンズの開口数ＮＡを大きくすることが有効である。光の波長についてはＣＤ（ｃｏｍｐａｃｔ  ｄｉｓｋ）では近赤外光の７８０ｎｍ、ＤＶＤ（ｄｉｇｉｔａｌ  ｖｅｒｓａｔｉｌｅ  ｄｉｓｋ）では赤色光の６５０ｎｍ近傍の波長が用いられている。最近、青紫光の半導体レーザが開発され、今後は４００ｎｍ近傍のレーザ光が使用されると予想される。
【０００４】
また、対物レンズについては、ＣＤ用はＮＡ０．５未満であったが、ＤＶＤ用はＮＡ０．６程度である。今後、さらに開口数（ＮＡ）を大きくしてＮＡ０．７以上とすることが求められる。しかし、対物レンズのＮＡを大きくすること、および光の波長を短くすることは、光を絞るときに収差の影響が大きくなることでもある。したがって、光ディスクのチルトに対するマージンが減ることになる。また、ＮＡを大きくすることによって焦点深度が小さくなるため、フォーカスサーボ精度を上げなくてはならない。
【０００５】
さらに、高ＮＡの対物レンズを使用することによって、対物レンズと光ディスクの記録面との距離が小さくなってしまうため、光ディスクの面振れを小さくしておかないと、始動時のフォーカスサーボを引き込む直前、対物レンズと光ディスクとが衝突することがあり、ピックアップの故障の原因となる。
【０００６】
短波長，高ＮＡの大容量光ディスクとして、例えば非特許文献１に示されているように、ＣＤと同程度に厚く剛性の大きい基板に記録膜を成膜し、記録／再生用の光を基板を通さずに、薄いカバー層内を通して記録膜に対して記録／再生する構成のシステムが提案されている。
【０００７】
また、例えば特許文献１，特許文献２に記載されているように、平面をもつ安定化板上で可撓性を有する光ディスクを回転させて、光ディスクにおける面振れを安定化させる方法が知られている。
【０００８】
しかしながら、前記従来の技術において、光ディスクの基板を剛体で形成すると、回転する光ディスクにおける面振れ，チルトを小さくするためには、きわめて正確な成形をし、かつ熱変形が生じないように低温で記録膜を成膜しなければならない。このことは、光ディスク製造に係るタクトタイムを長くすることになり、コストを上げる原因となる。
【０００９】
また、可撓性のある光ディスクを安定板上で回転させる方法では、特許文献２に記載されているように、単純な平板上で回転させると、光ディスクと安定化板が接して摺動し、このため光ディスクが振動して高周波の面振れが発生する。この面振れは、機械的なフォーカスサーボでは応答できない周波数領域にかかってくることが多く、残留サーボエラーを十分抑制することができない。
【００１０】
さらに、面振れにより光ディスクと対物レンズとが摺動すると、発塵を引き起こして、その塵埃などがエラーを発生させる原因となる。特に特許文献１に記載されているように、安定化板側に記録膜が存在する構成であると、摺動により光ディスクの記録膜に損傷を与えて、直接エラーを引き起こすことになる。
【００１１】
【非特許文献１】
「オー  プラス  イー」（Ｏ  ＰＬＵＳ  Ｅ）ｖｏｌ．２０，Ｎｏ．２，ｐ．１８３
【特許文献１】
特開平７−１０５６５７号公報
【特許文献２】
特開平１０−３０８０５９号公報
【００１２】
【発明が解決しようとする課題】
これらの問題を解決するための方法として、本発明者らは、特願２００１−２２８９４３号において、シート状の光ディスクの記録層の全面に安定化ガイド部材を対向設置させずに、光ディスクとの対向面が円弧状をなす円柱状の安定化ガイド部材を用い、光ディスクにおける安定化ガイド部材による空気圧の作用（ベルヌーイ効果）による面振れが安定する部位におけるディスク回転方向上流側と下流側とに空気圧の作用を生じさせない領域（安定化ガイド部材がない空間部）を設けて、面振れを安定化させた部位の前後位置において光ディスクに「逃げ」となる部分を存在させ、面振れを安定化させた部位での光ディスクにおける反発力を小さくすることにより、空気力による面振れ安定化の効果を増大させるようにした発明を提案した。
【００１３】
前記発明は、可撓性を有するシート状の光ディスクを用いて記録／再生を行う際に、空気力によって光ディスクの面振れを確実に抑制して、高密度の記録を可能にし、さらに安定化ガイド部材と対物レンズとの摺接などの不具合の発生を防ぐといった点においては、絶大な効果を奏する。しかしながら、この効果を奏するためには、安定化ガイド部材の表面における円弧状の形状因子を適正に設計することが必要不可欠であり、この設計如何によっては、ディスク面振れを十分に抑制することができず、この発明の効果を十分に奏することができなくなってしまうという問題がある。
【００１４】
また、前記の設計如何によっては、安定化ガイド部材が光ディスクと摺動してディスク面において摺動傷を形成することになり、この損傷により光ディスクの耐久性が損なわれるという問題がある。
【００１５】
本発明の目的は、前記課題を解決し、可撓性を有するシート状の記録媒体における回転軸方向の振れをベルヌーイ効果による空気流の圧力差によって安定化させる面振れ安定化部材の形状パラメータを定量化して、適正な面振れ安定化部材の外形形状を適正かつ明確に設定し、ディスク面振れを低減する効果を十分に発揮させると共に、面振れ安定化部材と記録媒体との摺動による摺動傷の発生を回避し、記録および／または再生の動作の安定化、および記録媒体の信頼性向上を図ることにある。
【００１６】
【課題を解決するための手段】
前記目的を達成するため、請求項１に記載の発明は、可撓性を有するシート状の記録媒体を回転させ、前記記録媒体に対してピックアップにより情報の書き込みあるいは読み取りを行う可撓性記録媒体用記録／再生装置に設置され、前記記録媒体の少なくとも書き込みあるいは読み取りが行われる部位における回転軸方向の面振れをベルヌーイ効果による空気流の圧力差によって安定化させる面振れ安定化部材において、ベルヌーイ効果を発生させる表面の形状が略凸状曲面をなす柱状部を有し、該柱状部における横断面積Ｓｇ、および該柱状部における前記凸状曲面の頂点に接する仮想平面と前記凸状曲面との間に形成される部位の体積Ｖｅｘｇをパラメータとして前記柱状部を形成したことを特徴とし、この構成によって、面振れ安定化部材の形状を定量化すると共に、当該パラメータにより、可撓性記録媒体用記録／再生装置に有効な面振れ安定化部材の形状を特定することが可能となる。
【００１７】
請求項２に記載の発明は、請求項１記載の可撓性記録媒体に対する面振れ安定化部材において、Ｇｐ＝Ｓｇ／Ｖｅｘｇ１／３を柱状部における形状パラメータとしたことを特徴とし、この構成によって、記録媒体の面振れを抑制するための面振れ安定化部材における形状の適正化、および面振れ安定化部材との摺動による記録媒体における摺動傷の発生を回避するために必要な形状パラメータを設定し、定量化することができる。
【００１８】
請求項３に記載の発明は、請求項２記載の可撓性記録媒体に対する面振れ安定化部材において、柱状部を、形状パラメータＧｐが１５０以下となるように形成したことを特徴とし、この構成によって、面振れを２０μｍ以下とすることが可能となる。
【００１９】
請求項４に記載の発明は、請求項２記載の可撓性記録媒体に対する面振れ安定化部材において、柱状部を、形状パラメータＧｐが２５以上となるように形成したことを特徴とし、この構成によって、面振れ安定化部材との摺動による記録媒体表面における摺動傷の形成を回避することができる。
【００２０】
請求項５に記載の発明は、請求項２記載の可撓性記録媒体に対する面振れ安定化部材において、柱状部を、形状パラメータＧｐが２５以上かつ１５０以下となるように形成したことを特徴とし、この構成によって、面振れを２０μｍ以下とすることが可能になると共に、面振れ安定化部材との摺動による記録媒体表面における摺動傷の形成を回避することができる。
【００２１】
請求項６に記載の発明は、請求項２記載の可撓性記録媒体に対する面振れ安定化部材において、柱状部を、形状パラメータＧｐが１００以下となるように形成したことを特徴とし、この構成によって、面振れを１０μｍ以下とすることが可能となる。
【００２２】
請求項７に記載の発明は、請求項２記載の可撓性記録媒体に対する面振れ安定化部材において、柱状部を、形状パラメータＧｐが４０以上となるように形成したことを特徴とし、この構成によって、面振れ安定化部材と記録媒体とが全く接触しない状況を実現でき、両者における摺動自体を回避することができる。
【００２３】
請求項８に記載の発明は、請求項２記載の可撓性記録媒体に対する面振れ安定化部材において、柱状部を、形状パラメータＧｐが４０以上かつ１００以下となるように形成したことを特徴とし、この構成によって、面振れを１０μｍ以下とすることが可能となると共に、面振れ安定化部材と記録媒体とが全く接触しない状況を実現でき、両者における摺動自体を回避することができる。
【００２４】
請求項９に記載の発明は、可撓性を有するシート状の記録媒体を回転させる回転駆動手段と、前記記録媒体の少なくとも書き込みあるいは読み取りが行われる部位における回転軸方向の面振れを空気流の圧力差によって安定化させる面振れ安定化手段とを備えた可撓性記録媒体用記録／再生装置において、前記面振れ安定化手段にベルヌーイ効果を発生させる表面の主形状が凸状曲面をなす柱状部を形成し、該柱状部における横断面積Ｓｇと、該柱状部における前記凸状曲面の頂点に接する仮想平面と前記凸状曲面との間に形成される部位の体積Ｖｅｘｇをパラメータとして前記柱状部を形成した面振れ安定化手段を用いたことを特徴とし、この構成によって、面振れ安定化部材の形状がパラメータとして定量化されているため、設置する面振れ安定化部材の設計が容易になり、当該パラメータに基づいて形成された面振れ安定化部材を用いることにより、各種仕様の装置において良好な状況にて記録／再生を行うことが可能になる。
【００２５】
請求項１０に記載の発明は、請求項９記載の可撓性記録媒体用記録／再生装置において、Ｇｐ＝Ｓｇ／Ｖｅｘｇ１／３を柱状部の形状パラメータとしたことを特徴とし、この構成によって、記録媒体の面振れを抑制するための面振れ安定化部材における形状の適正化、および面振れ安定化部材との摺動による記録媒体における摺動傷の発生を回避するために必要な形状パラメータを設定し、定量化することができる。
【００２６】
請求項１１に記載の発明は、請求項１０記載の可撓性記録媒体用記録／再生装置において、柱状部の形状パラメータＧｐの設定範囲を２５以上かつ１５０以下に設定したことを特徴とし、この構成によって、面振れを２０μｍ以下とすることが可能になると共に、面振れ安定化部材との摺動による記録媒体表面における摺動傷の形成を回避することができる。
【００２７】
請求項１２に記載の発明は、請求項１０記載の可撓性記録媒体用記録／再生装置において、柱状部の形状パラメータＧｐの設定範囲を４０以上かつ１００以下に設定したことを特徴とし、この構成によって、面振れを１０μｍ以下とすることが可能となると共に、面振れ安定化部材と記録媒体とが全く接触しない状況を実現でき、両者における摺動自体を回避することができる。
【００２８】
【発明の実施の形態】
以下、本発明の実施の形態を図面を参照して説明する。
【００２９】
図１は本発明の実施形態を説明するための光ディスク記録／再生装置の構成図であり、１は記録媒体である可撓性を有するシート状の光ディスク、２は光ディスク１に設けられたハブ、３は面振れ安定化部材（ガイド部材と称す）、４は光ディスク１に対して光学的に情報の書き込みあるいは読み取りを行う光ピックアップ、５は装置本体の筐体、６は光ディスク１を回転駆動する回転駆動手段であるスピンドルモータ、７は光ディスク１のハブ２が嵌着されるスピンドルシャフトである。
【００３０】
ガイド部材３と光ピックアップ４とは、支持枠体８の対向腕部８ａ，８ｂに相対向するように設置されて、ガイド・ピックアップユニットを構成しており、光ディスク１の記録面側に光ピックアップ４が配され、記録面とは反対面側にガイド部材３が配されている。
【００３１】
さらに、図１において、１０はディスク回転軸方向におけるガイド・ピックアップユニットの位置制御を行うディスク回転軸方向位置制御部，１１はディスク半径方向におけるガイド・ピックアップユニットの位置制御を行うディスク半径方向位置制御部、１２はディスク半径方向におけるガイド・ピックアップユニットのチルト角制御を行うディスク半径方向チルト角制御部、１３はディスク回転接線方向におけるガイド・ピックアップユニットのチルト角制御を行うディスク回転接線方向チルト角制御部であり、ディスク半径方向チルト角制御部１２，ディスク回転接線方向チルト角制御部１３はガイド部材３における表面中心位置Ｏを回転中心としてチルト角を調整することができる構成になっている。なお、図中の１４は支持枠体８の対向腕部８ａ，８ｂを近接する方向と離反する方向に駆動して、ガイド部材３と光ピックアップ４の対向間隔を調整するための間隔制御部である。
【００３２】
前記光ピックアップ４は、出射レーザ光が常にガイド部材３における表面中心位置Ｏに垂直入射し、かつフォーカスサーボ動作を行う前の光ピックアップ４の仮焦点位置がガイド部材３における表面中心位置Ｏに合致するように調整した状態で支持枠体８に固定されている。
【００３３】
また、前記構成の本実施形態の装置において、ディスク面振れは、光ピックアップ４に設置されたレーザ変位計により検知され、またガイド部材３と光ディスク１との摺動状態は、ガイド部材３に設置された光学センサ（例えばＡＥセンサ：測光センサ）により検知される。
【００３４】
本実施形態にて採用する光ディスク１の製法，構成を、ディスク基板であるシート部材として直径１２０ｍｍ，厚さ７５μｍのポリカーボネイト製シートを用いた場合について説明する。
【００３５】
まず、前記シート部材の一面に、熱転写でスタンパのピッチ０．６μｍ、幅０．３μｍのグルーブを転写し、その後、スパッタリングでシート部材／Ａｇ反射層１２０ｎｍ／（ＺｒＯ２−Ｙ２Ｏ３）−ＳｉＯ２  ７ｎｍ／ＡｇＩｎＳｂＴｅＧｅ  １０ｎｍ／ＺｎＳ−ＳｉＯ２  ２５ｎｍ／Ｓｉ３Ｎ４  １０ｎｍの順にて成膜し、情報記録領域を内周直径４０ｍｍから外周直径１１０ｍｍ（半径２０ｍｍ〜５５ｍｍ）までの範囲に設定した。その後、ＵＶ樹脂をスピンコートし、紫外線照射で硬化させて厚さ５μｍの透明保護膜を形成した。また、シート部材の他面には１０μｍ厚のハードコートを施した。さらに、このようにして作成された光ディスク１の中心部に、外形直径３０ｍｍ，内径直径１５ｍｍ，厚み１．１ｍｍのハブ２を取り付けた。
【００３６】
本実施形態においては、記録／再生時、可撓性を有するシート状の光ディスク１をスピンドルモータ６により回転させ、ガイド部材３によるベルヌーイ効果を利用して、少なくとも光ピックアップ４が記録／再生の信号検出を行うディスク部分におけるディスク面振れを抑制しながら、ガイド部材３による主たるベルヌーイ効果作用面とは逆のディスク面において記録／再生を行う。
【００３７】
本実施形態においては、ガイド部材３によるベルヌーイ効果を最大限に発揮させることが記録／再生の精度を向上させるために重要である。
【００３８】
そこで本発明者らは、図１に示すように、ガイド部材１におけるシート状の光ディスク１に対向する表面の主形状を任意曲率半径の略凸状曲面としたものについて考察し、ディスク面振れが安定化する現象に関して鋭意研究開発を重ねた結果、図２（ａ），（ｂ）に示すガイド部材３の柱状部３ａの横断面積Ｓｇ［ｍｍ２］と、ガイド部材３における凸状曲面の頂点Ｔ（表面中心位置Ｏ）に接する仮想平面Ｆとガイド部材３の表面Ｓとの間で形成される部位の体積Ｖｅｘｇ［ｍｍ３］とが、本実施形態に例示されるような光ディスク記録／再生装置におけるディスク面振れ、およびガイド部材／光ディスク間における摺動（当接）状態を設定する上において、密接な関係にあることを実験により確認することができた。
【００３９】
前記横断面積Ｓｇおよび体積Ｖｅｘｇを設計パラメータとして、ガイド部材３を外形形状を規定することにより、ガイド部材３の形状を定量化することができると共に、当該設計パラメータにより、各種仕様の装置に有効なガイド部材３の形状を特定することが可能となった。
【００４０】
また、さらに検討を重ねた結果、ガイド部材３における外形形状は、前記ＳｇとＶｅｘｇとにより決定される下式（数１）にて表される形状パラメータＧｐ（ＳｇとＶｅｘｇの３乗根との比）により特定され、このＧｐの評価により、ディスク面振れ抑制に関する適正化範囲と、ガイド部材３と光ディスク１との摺動によるディスク表面における摺動傷の発生を回避するための適正化範囲を決定できることを実験により見出した。
【００４１】
【数１】
Ｇｐ＝Ｓｇ／Ｖｅｘｇ１／３
後述する各種実験結果からも、形状パラメータＧｐが本実施形態に例示されるような光ディスク記録／再生装置におけるガイド部材３のディスク面振れ安定機能を明確に評価する指標となっていることは明らかであり、その有効性は実験により実証された。
【００４２】
なお、前記ガイド形状パラメータの意味は、概念的には以下のように説明することができる。
【００４３】
すなわち、前記横断面積Ｓｇが大きく、前記体積Ｖｅｘｇが小さいほど、すなわち形状パラメータＧｐが大きいほど、ガイド部材３によるシート状の光ディスク１に対する反発効果が大きくなり、ガイド部材３／光ディスク１間に大きな空気ギャップが形成されて摺動確率が減る。また逆に、横断面積Ｓｇが小さく、体積Ｖｅｘｇが大きいほど、すなわち形状パラメータＧｐが小さいほど、ガイド部材３による光ディスク１に対する反発効果が小さくなって、光ディスク１とガイド部材３とが近接し、面振れの抑制効果が増大するのである。
【００４４】
さらに、形状パラメータＧｐと、ディスク面振れ抑制効果およびディスク表面摺動傷の回避効果との関係について精査した結果、形状パラメータＧｐが１５０以下となる範囲において、ガイド部材３近傍のディスク面振れを２０μｍ以下にすることができることを見出した。また形状パラメータＧｐが２５以上となる範囲において、ガイド部材３によるディスク表面に対する摺動傷の発生を回避することができることを見出した。
【００４５】
さらには、形状パラメータＧｐが１００以下となる範囲に限ることにより、ガイド部材３近傍の面振れを１０μｍ以下にすることができることを見出した。また形状パラメータＧｐが４０以上となる範囲において、ガイド部材３と光ディスク１とが全く接触しない状況となり、摺動現象自体を回避することができることを見出した。
【００４６】
以下に、形状パラメータＧｐを検証した事例について具体的に説明する。
【００４７】
本説明のために用いたガイド部材３は、図２（ａ），（ｂ）に示すように、光ディスク１との対向面がＲｇｓの曲率半径を持ち、柱状部３ａの半径をＲｇとした端面が凸状曲面をなす柱状部材である。このガイド部材３に対して、前記半径Ｒｇを変化させることにより前記横断面積Ｓｇを振り、また前記曲率半径Ｒｇｓを変化させることにより前記体積Ｖｅｘｇを振り、形状パラメータＧｐを様々に変化させた。この変化の状態を図５に示す。
【００４８】
この種々のガイド部材３を用い、かつ図１に示す構成の装置において、光ディスク１における任意半径位置でガイド部材３を、当該光ディスク１に対して任意変位量で近接させた状態で、チルト角制御部１２，１３によってガイド部材３のチルト角を制御し、ガイド部材３の表面中心位置Ｏの面振れが最小となる条件に調整して、光ディスク１における面振れ、および摺動状態の評価を行った。
【００４９】
まず、ディスク面振れを２０μｍの面振れを基準として評価した結果を図７に○×で表した（○が２０μｍ以下）。図５に照合すると、本実施形態における形状パラメータＧｐを基準として、それが指定領域１５０以下となるようにガイド部材３の形状を設計することにより、ディスク面振れ２０μｍ以下にすることを達成できることが確認された。
【００５０】
一方、ガイド部材３によるディスク面摺動傷の発生の有無を図８に○×で表した（○が摺動傷なし）。図５に照合すると、本実施形態における形状パラメータＧｐを基準として、それが指定領域２５以上となるようにガイド部材３の形状を設計することにより、ガイド部材３によるディスク面への摺動傷の形成を回避することができることが確認された。
【００５１】
また、図６（図７，図８に示す評価結果を合わせて示した図）に示すように、前記のように面振れ抑制と摺動傷が回避される各領域は、Ｇｐ評価軸において重なりを持つ。この重なる領域では、ディスク面振れを２０μｍ以下とし、かつガイド部材３によるディスク面への摺動傷の形成を回避することができた。特にＧｐを４０以上の範囲に限定すれば、ガイド部材３と光ディスク１の接触を完全になくし摺動自体をなくすことができた。またＧｐを１００以下の範囲に限定すれば、ディスク面振れを１０μｍ以下にすることができた。図６において、ガイド部材３と光ディスク１との接触を完全になくして摺動を回避することができ、かつディスク面振れを２０μｍ以下に抑制することができる領域を◎にて示した。
【００５２】
ガイド部材３として、形状パラメータＧｐが５２、表面曲率半径（Ｒｇｓ０）が１００ｍｍ、柱状部３ａの半径が６ｍｍである端部球状のガイド部材を基準として、図３，図４に示すように、頂点Ｔから外側に向かって表面曲率半径がＲｇｓ１からＲｇｓ２へと変化する非球面形状を有するガイド部材３’，３”を設計（図３はＲｇｓ１＜Ｒｇｓ２、図４はＲｇｓ１＞Ｒｇｓ２）し、さらに柱状部３ａの半径の調整も加えて、Ｇｐが２０，３０，１２０，１８０となるガイド部材３’，３”を作成した。
【００５３】
ガイド部材３’，３”に関する面振れと摺動傷との評価結果を図９にまとめて示す。このような表面が非球面形状のガイド部材３’，３”においても、上述したガイド部材３と同様に、形状パラメータＧｐの範囲を適宜選択することにより、面振れ低減効果とディスク面摺動回避の効果を調整することができることが分かる。
【００５４】
図３，図４に示すガイド部材３’，３”のような、非球面形状の略凸状曲面をなす柱状部３ａを有するものにおいても、前記の形状パラメータＧｐによるガイド部材の効果，性能を決定づけられることを確認することができた。
【００５５】
このようにして、本実施形態のガイド部材の形状パラメータＧｐの範囲を特定し、外形形状を設計することにより、ディスク面振れを効果的に抑制することでき、またガイド部材によるディスク表面の摺動傷の形成を回避することができる。このため本実施形態のガイド部材を光ディスク記録／再生装置に設置することにより、ディスク面振れの安定した位置において光ディスクに対して記録／再生を行うことができるようになり、また光ディスクの耐久性が向上して信頼性を確保することが可能になる。
【００５６】
なお、本発明のガイド部材は、表面が球面形状あるいは非球面形状であるかに係わらず、可撓性を有するシート状の記録媒体に対向する面における主形状が、略凸状曲面をなすものに適用可能であり、また、当該ガイド部材におけるベルヌーイ効果を低下させるものでなければ、補助的なガイド部、あるいは他機能の部材が付加されるものにも適用される。
【００５７】
また、本発明のガイド部材は、可撓性を有するシート状の記録媒体を使用する各種構成の記録／再生装置に設置可能であり、さらにまた、可撓性を有するシート状の記録媒体を収納するディスクカートリッジ内に設置することも考えられる。
【００５８】
【発明の効果】
以上説明したように、本発明の可撓性記録媒体に対する面振れ安定化部材および可撓性記録媒体用記録／再生装置によれば、前記のパラメータによりベルヌーイ効果を発生させて記録媒体の面振れを安定化させる面振れ安定化部材の形状を定量化すると共に、可撓性記録媒体用記録／再生装置に有効な面振れ安定化部材の形状を特定することが可能となり、面振れ安定化部材の設計が容易になり、各種可撓性記録媒体用記録／再生装置に設置して、良好な状況にて記録／再生を行うことが可能になる。
【図面の簡単な説明】
【図１】本発明の実施形態を説明するための光ディスク記録／再生装置の構成図
【図２】（ａ）は本実施形態のガイド部材の要部説明図、（ｂ）は（ａ）におけるＡ−Ａ断面図
【図３】本実施形態におけるガイド部材の変形例を示す要部説明図
【図４】本実施形態におけるガイド部材の他の変形例を示す要部説明図
【図５】本実施形態におけるガイド部材の表面極率半径（Ｒｇｓ）と柱状部の半径（Ｒｇ）とを変えた場合の形状パラメータ（Ｇｐ）の変化を示す図
【図６】本実施形態において面振れ２０μｍ以下、かつディスク摺動傷なしとなる場合の条件試験の結果を示す図
【図７】本実施形態において面振れ２０μｍ以下になる場合の条件試験の結果を示す図
【図８】本実施形態においてディスク摺動傷なしとなる場合の条件試験の結果を示す図
【図９】本実施形態においてガイド部材を非球面とした場合の形状パラメータ（Ｇｐ）と安定化効果との関係を示す図
【符号の説明】
１  可撓性を有するシート状の記録媒体
３  ガイド部材（面振れ安定化部材）
３ａ  ガイド部材の柱状部
４  光ピックアップ
６  スピンドルモータ
Ｏ  ガイド部材の表面中心位置
Ｓ  ガイド部材の表面
Ｔ  ガイド部材の頂点
Ｆ  仮想平面
Ｇｐ    形状パラメータ
Ｓｇ    ガイド部材の横断面積
Ｖｅｘｇ    仮想平面とガイド部材の表面との間で形成される部位の体積
【図１】
2004280964.tif 000003
【図２】
2004280964.tif 000004
【図３】
2004280964.tif 000005
【図４】
2004280964.tif 000006
【図５】
2004280964.tif 000007
【図６】
2004280964.tif 000008
【図７】
2004280964.tif 000009
【図８】
2004280964.tif 000010
【図９】
2004280964.tif 000011